(57)【要約】【課題】処方データに従って錠剤を包装袋に包装したときの各錠剤の包装イメージを、各錠剤の画像を用いて出力するときに、包装袋に包装する錠剤の種類、または錠剤の量が所定以上である場合に、当該包装袋に包装する同じ種類の複数の錠剤について、当該錠剤の画像をひとつだけ出力することで、ユーザによる監査を効率的に行うことが可能な仕組みを提供すること。【解決手段】処方データに従って包装手段により錠剤を包装袋に包装したときの各錠剤の包装イメージを、各錠剤の画像を用いて出力するときに、包装袋に包装する錠剤の種類、または錠剤の量が所定以上である場合に、当該包装袋に包装する同じ種類の複数の錠剤について、当該錠剤の画像をひとつだけ出力する。【選択図】図１２
2017064109.tif 000002
【特許請求の範囲】
【請求項１】
包装装置により錠剤を包装する包装システムであって、
各錠剤の画像を管理する管理手段と、
前記包装装置で包装する処方データの入力を受け付ける入力受付手段と、
前記入力受付手段で受け付けた処方データに従って錠剤を包装袋に包装する包装手段と、
前記入力受付手段で入力を受け付けた処方データに従って前記包装手段により錠剤を包装袋に包装したときの各錠剤の包装イメージを、前記管理手段で管理する各錠剤の画像を用いて出力するように制御する出力制御手段と
を備え、
前記出力制御手段は、前記包装袋に包装する錠剤の種類、または錠剤の量が所定未満である場合に、当該包装袋に包装する同じ種類の複数の錠剤について、当該錠剤の画像をそれぞれ出力し、前記包装袋に包装する錠剤の種類、または錠剤の量が所定以上である場合に、当該包装袋に包装する同じ種類の複数の錠剤について、当該錠剤の画像をひとつだけ出力するように制御することを特徴とする包装システム。
【請求項２】
前記包装装置は、散薬を更に包装し、
前記出力制御手段は、前記入力受付手段で受け付けた処方データに散薬と、錠剤を含む場合に、当該錠剤の画像を識別表示して出力するように制御することを特徴とする請求項１に記載の包装システム。
【請求項３】
前記管理手段は、各錠剤が割れやすいか否かを記憶し、
前記出力制御手段は、前記入力受付手段で受け付けた処方データに含まれる錠剤が、前記管理手段で割れやすい錠剤として管理される場合に、当該錠剤の画像を識別表示して出力するように制御することを特徴とする請求項１または２に記載の包装システム。
【請求項４】
前記管理手段は、各錠剤が、静電気が帯電しやすい錠剤であるか否かを記憶し、
前記出力制御手段は、前記入力受付手段で受け付けた処方データに含まれる錠剤が、前記管理手段で静電気が帯電しやすい錠剤として管理される場合に、当該錠剤の画像を識別表示して出力するように制御することを特徴とする請求項１乃至３のいずれか１項に記載の包装システム。
【請求項５】
前記出力制御手段は、前記包装イメージを服用タイミングごとに出力するように制御し、更に、前記入力受付手段で受け付けた処方データに含まれる各服用タイミングにおける処方内容が、いずれも同一である場合に、包装イメージをひとつだけ出力するように制御することを特徴とする請求項１乃至４のいずれか１項に記載の包装システム。
【請求項６】
前記出力制御手段は、前記包装袋に包装する錠剤の種類、または錠剤の量が所定以上である場合に、当該包装袋に包装する同じ種類の複数の錠剤について、当該錠剤の画像をひとつだけ出力するように制御する場合に、ひとつにまとめた錠剤の数を、当該錠剤の画像の上に重畳表示して出力するように制御することを特徴とする請求項１乃至５のいずれか１項に記載の包装システム。
【請求項７】
前記出力制御手段は、前記包装イメージを、前記包装袋に出力することを特徴とする請求項１乃至６のいずれか１項に記載の包装システム。
【請求項８】
前記出力制御手段は、前記包装イメージを、プリンタに出力することを特徴とする請求項１乃至６のいずれか１項に記載の包装システム。
【請求項９】
各錠剤の画像を管理する管理手段を備え、包装装置により錠剤を包装する包装システムの制御方法であって、
前記包装システムの入力受付手段が、前記包装装置で包装する処方データの入力を受け付ける入力受付工程と、
前記包装システムの包装手段が、前記入力受付工程で受け付けた処方データに従って錠剤を包装袋に包装する包装工程と、
前記包装システムの出力制御手段が、前記入力受付工程で入力を受け付けた処方データに従って前記包装工程により錠剤を包装袋に包装したときの各錠剤の包装イメージを、前記管理手段で管理する各錠剤の画像を用いて出力するように制御する出力制御工程と
を備え、
前記出力制御工程は、前記包装袋に包装する錠剤の種類、または錠剤の量が所定未満である場合に、当該包装袋に包装する同じ種類の複数の錠剤について、当該錠剤の画像をそれぞれ出力し、前記包装袋に包装する錠剤の種類、または錠剤の量が所定以上である場合に、当該包装袋に包装する同じ種類の複数の錠剤について、当該錠剤の画像をひとつだけ出力するように制御することを特徴とする包装システムの制御方法。
【請求項１０】
包装装置により錠剤を包装する包装システムで読み取り実行可能なプログラムあって、
前記包装システムを、
各錠剤の画像を管理する管理手段と、
前記包装装置で包装する処方データの入力を受け付ける入力受付手段と、
前記入力受付手段で受け付けた処方データに従って錠剤を包装袋に包装する包装手段と、
前記入力受付手段で入力を受け付けた処方データに従って前記包装手段により錠剤を包装袋に包装したときの各錠剤の包装イメージを、前記管理手段で管理する各錠剤の画像を用いて出力するように制御する出力制御手段として機能させ、
前記出力制御手段は、前記包装袋に包装する錠剤の種類、または錠剤の量が所定未満である場合に、当該包装袋に包装する同じ種類の複数の錠剤について、当該錠剤の画像をそれぞれ出力し、前記包装袋に包装する錠剤の種類、または錠剤の量が所定以上である場合に、当該包装袋に包装する同じ種類の複数の錠剤について、当該錠剤の画像をひとつだけ出力するように制御することを特徴とするプログラム。
【請求項１１】
各錠剤の画像を管理する管理手段と、
包装装置で包装する処方データの入力を受け付ける入力受付手段と、
前記入力受付手段で入力を受け付けた処方データに従って前記包装装置により錠剤を包装袋に包装したときの各錠剤の包装イメージを、前記管理手段で管理する各錠剤の画像を用いて出力するように制御する出力制御手段と
を備え、
前記出力制御手段は、前記包装袋に包装する錠剤の種類、または錠剤の量が所定未満である場合に、当該包装袋に包装する同じ種類の複数の錠剤について、当該錠剤の画像をそれぞれ出力し、前記包装袋に包装する錠剤の種類、または錠剤の量が所定以上である場合に、当該包装袋に包装する同じ種類の複数の錠剤について、当該錠剤の画像をひとつだけ出力するように制御することを特徴とする情報処理装置。
【発明の詳細な説明】
【技術分野】
【０００１】
本発明は、情報処理装置、包装システム、包装システムの制御方法、およびプログラムに関し、特に、処方データに従って錠剤を包装袋に包装したときの各錠剤の包装イメージを、各錠剤の画像を用いて出力するときに、包装袋に包装する錠剤の種類、または錠剤の量が所定以上である場合に、当該包装袋に包装する同じ種類の複数の錠剤について、当該錠剤の画像をひとつだけ出力することで、ユーザによる監査を効率的に行うことが可能な仕組みに関する。
【背景技術】
【０００２】
従来、薬局等では、薬剤を包装する包装装置で、処方箋（処方データともいう）に従って薬剤を包装した後の分包物（包装袋とも言う）に、薬剤が正しく包装されているかをユーザ（薬剤師等）が目視で監査することが行われていた。
【０００３】
しかしながら、ユーザが分包物を監査する際、処方箋を見て薬剤の数量や薬剤の種類（散薬・錠剤・散薬）から、薬剤がどのように分包物に包装されているかをイメージしながら監査しなければならず直感的にわかりづらいという課題があった。
【０００４】
上記課題を解決するために、特許文献１には、処方箋データに従って、包装装置により薬剤が包装された分包物内を順次撮像し、撮像した画像データと、処方箋に含まれる薬剤の画像データとを画像データベースから呼び出して表示する技術が開示されている。
【先行技術文献】
【特許文献】
【０００５】
【特許文献１】特開平１０−１６２１１６号公報
【発明の概要】
【発明が解決しようとする課題】
【０００６】
特許文献１に開示されている技術の場合、分包物を撮影するためのカメラを包装装置が備える必要があるため、包装装置の価格が、カメラを備えていない包装装置に比べて高価なものとなることが考えられる。そうすると薬局にとっては、金銭的に負担となる恐れがあった。
【０００７】
また、特許文献１では、処方箋に含まれる薬剤の画像データを画像データベースから呼び出して表示する際に、分包物１つに同じ種類の薬剤が複数含まれる場合に、それぞれの薬剤の画像データを表示するのか否かについては記載されていない。
【０００８】
そのため、特許文献１に記載の技術を用いた場合、処方箋に従って包装された分包物１包に所定以上の種類の錠剤が含まれる場合や、分包物１包に錠剤が所定以上含まれる場合に、画像データベースから薬剤１つ１つの画像データを呼び出して表示する可能性があり、そうすると、１画面にたくさんの画像データが表示されるため、ユーザが、包装装置が撮影した画像データと比較して監査する際に、監査しづらい可能性がある。
【０００９】
本発明は、処方データに従って錠剤を包装袋に包装したときの各錠剤の包装イメージを、各錠剤の画像を用いて出力するときに、包装袋に包装する錠剤の種類、または錠剤の量が所定以上である場合に、当該包装袋に包装する同じ種類の複数の錠剤について、当該錠剤の画像をひとつだけ出力することで、ユーザによる監査を効率的に行うことが可能な仕組みを提供することを目的とする。
【課題を解決するための手段】
【００１０】
本発明は、包装装置により薬剤を包装する包装システムであって、各薬剤の画像を管理する管理手段と、前記包装装置で包装する処方データの入力を受け付ける入力受付手段と、前記入力受付手段で受け付けた処方データに従って薬剤を包装袋に包装する包装手段と、前記入力受付手段で入力を受け付けた処方データに従って前記包装手段により薬剤を包装袋に包装したときの各薬剤の包装イメージを、前記管理手段で管理する各薬剤の画像を用いて出力するように制御する出力制御手段とを備え、前記出力制御手段は、前記包装袋に包装する薬剤の種類、または薬剤の量が所定未満である場合に、当該包装袋に包装する同じ種類の複数の薬剤について、当該薬剤の画像をそれぞれ出力し、前記包装袋に包装する薬剤の種類、または薬剤の量が所定以上である場合に、当該包装袋に包装する同じ種類の複数の薬剤について、当該薬剤の画像をひとつだけ出力するように制御することを特徴とする。
【００１１】
また、本発明は、各錠剤の画像を管理する管理手段を備え、包装装置により錠剤を包装する包装システムの制御方法であって、前記包装システムの入力受付手段が、前記包装装置で包装する処方データの入力を受け付ける入力受付工程と、前記包装システムの包装手段が、前記入力受付工程で受け付けた処方データに従って錠剤を包装袋に包装する包装工程と、前記包装システムの出力制御手段が、前記入力受付工程で入力を受け付けた処方データに従って前記包装工程により錠剤を包装袋に包装したときの各錠剤の包装イメージを、前記管理手段で管理する各錠剤の画像を用いて出力するように制御する出力制御工程とを備え、前記出力制御工程は、前記包装袋に包装する錠剤の種類、または錠剤の量が所定未満である場合に、当該包装袋に包装する同じ種類の複数の錠剤について、当該錠剤の画像をそれぞれ出力し、前記包装袋に包装する錠剤の種類、または錠剤の量が所定以上である場合に、当該包装袋に包装する同じ種類の複数の錠剤について、当該錠剤の画像をひとつだけ出力するように制御することを特徴とする。
【００１２】
また、本発明は、包装装置により錠剤を包装する包装システムで読み取り実行可能なプログラムあって、前記包装システムを、各錠剤の画像を管理する管理手段と、前記包装装置で包装する処方データの入力を受け付ける入力受付手段と、前記入力受付手段で受け付けた処方データに従って錠剤を包装袋に包装する包装手段と、前記入力受付手段で入力を受け付けた処方データに従って前記包装手段により錠剤を包装袋に包装したときの各錠剤の包装イメージを、前記管理手段で管理する各錠剤の画像を用いて出力するように制御する出力制御手段として機能させ、前記出力制御手段は、前記包装袋に包装する錠剤の種類、または錠剤の量が所定未満である場合に、当該包装袋に包装する同じ種類の複数の錠剤について、当該錠剤の画像をそれぞれ出力し、前記包装袋に包装する錠剤の種類、または錠剤の量が所定以上である場合に、当該包装袋に包装する同じ種類の複数の錠剤について、当該錠剤の画像をひとつだけ出力するように制御することを特徴とする。
【００１３】
また、本発明は、各錠剤の画像を管理する管理手段と、包装装置で包装する処方データの入力を受け付ける入力受付手段と、前記入力受付手段で入力を受け付けた処方データに従って前記包装装置により錠剤を包装袋に包装したときの各錠剤の包装イメージを、前記管理手段で管理する各錠剤の画像を用いて出力するように制御する出力制御手段とを備え、前記出力制御手段は、前記包装袋に包装する錠剤の種類、または錠剤の量が所定未満である場合に、当該包装袋に包装する同じ種類の複数の錠剤について、当該錠剤の画像をそれぞれ出力し、前記包装袋に包装する錠剤の種類、または錠剤の量が所定以上である場合に、当該包装袋に包装する同じ種類の複数の錠剤について、当該錠剤の画像をひとつだけ出力するように制御することを特徴とする。
【発明の効果】
【００１４】
本発明によると、処方データに従って包装手段により錠剤を包装袋に包装したときの各錠剤の包装イメージを、各錠剤の画像を用いて出力するときに、包装袋に包装する錠剤の種類、または錠剤の量が所定以上である場合に、当該包装袋に包装する同じ種類の複数の錠剤について、当該錠剤の画像をひとつだけ出力することで、ユーザによる監査を効率的に行うことができる。
【図面の簡単な説明】
【００１５】
【図１】包装装置と錠剤供給装置を示す図である。
【図２】錠剤取出ユニットの内部構造を示す図である。
【図３】錠剤取出ユニットの内部構造（断面）を示す図である。
【図４】錠剤供給ユニットの内部構造を示す図である。
【図５】包装ユニットの内部構造を示す図である。
【図６】錠剤供給装置の内部を横（正面から見て右側）から見た図である。
【図７】本発明の実施形態における錠剤供給システムのハードウェア構成の一例を示す図である。
【図８】本発明の実施形態における、ユーザからの処方内容の入力受付から、薬剤の包装までの一連の流れを示すフローチャートである。
【図９】ステップＳ８０１において情報処理装置３００のディスプレイ３４に表示される処方データの入力をユーザから受け付ける処方データ入力画面の一例を示す図である。
【図１０】図８のステップＳ８０３の処理の詳細を示すフローチャートである。
【図１１】情報処理装置３００のディスプレイ３４に表示される包装イメージを示す図である。
【図１２】情報処理装置３００のディスプレイ３４に表示される包装イメージを示す図である。
【図１３】情報処理装置３００のディスプレイ３４に表示される包装イメージを示す図である。
【図１４】情報処理装置３００の外部メモリ３６に記憶される薬品マスタである。
【図１５】情報処理装置３００のディスプレイ３４に表示される包装イメージを示す図である。
【図１６】情報処理装置３００のディスプレイ３４に表示される包装イメージを示す図である。
【図１７】情報処理装置３００に接続するプリンタから包装イメージを出力した図であるである。
【図１８】本発明の実施形態における、ユーザからの処方内容の入力受付から、薬剤の包装までの一連の流れを示すフローチャートである。
【図１９】情報処理装置３００のディスプレイ３４に表示される包装イメージを示す図である。
【図２０】本発明の実施形態における、包装イメージのまとめ処理を示すフローチャートである。
【図２１】情報処理装置３００の外部メモリ３６で管理する処方データリストである。
【発明を実施するための形態】
【００１６】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１７】
本実施形態に係る錠剤供給装置１０は、錠剤シート５１から錠剤を取り出して、錠剤を包装する包装装置５に錠剤を供給する。錠剤供給装置１０は、錠剤シートから取り出された錠剤を、錠剤供給装置１０の内部に設けられた導入路を介して落下させて集積する集積部（例えば、錠剤導入路に連結された第１集積ホッパー４０１、第２集積ホッパー４０２）を備える。
【００１８】
以下、図面を用いて、本発明の錠剤供給システム（図１）について説明する。なお、以下の実施例において、錠剤とカプセルを別のものとして説明するが、錠剤にカプセルを含むとしても良い。また、以下の実施例において、分包と包装は同義である。
【００１９】
図１は、供給された錠剤を包装する包装装置５と錠剤を取り出して包装装置５（以下、分包装置とも称する）に供給する錠剤供給装置１０（以下、錠剤取出装置とも称する）と、情報処理装置３００を含む錠剤供給システム（以下、錠剤取出システムとも称する）を示す図である。
【００２０】
錠剤供給装置１０には、複数の錠剤取出ユニット１が搭載されており、この錠剤取出ユニット１により錠剤シートから錠剤が取り出される。
【００２１】
このような錠剤取出ユニット１は、情報処理装置３００のキーボードや、包装装置５に設けられたタッチパネル式のディスプレイ１０１等から分包条件を入力されることで、錠剤の取出動作を行うことができる。
【００２２】
３００は、情報処理装置であり、包装装置５と通信インターフェースで接続している。情報処理装置３００には、ユーザから処方内容の入力を受けつけ、入力された処方内容の情報を包装装置５に送信したり、包装装置に包装動作を実行する指示をしたりするためのソフトウェアがインストールされている。
【００２３】
次に、図２を用いて、錠剤取出ユニット１の内部構造について説明する。図２は、錠剤取出ユニット１の内部構造を示す図である。なお、図２は、錠剤取出ユニット１が２つ並んで配置されている例を示している。
【００２４】
錠剤取出ユニット１は、錠剤収容部５１０が重力方向に関して上側に来るような状態で複数の錠剤シート５１を積層させて投入可能な投入口２０３（錠剤シート保持部）と、後述する錠剤シート５１を搬送する搬送機構１６と、後述する搬送機構１６により搬送された錠剤シート５１が載置される載置台と、載置台上の錠剤シート５１の錠剤収容部の側から押圧して錠剤を取り出す押出し機構とを有している。すなわち載置台上が除包位置（取出位置）として用いられる。錠剤シート５１は、錠剤を収容する錠剤収容部５１０を有するシート本体の下面に、アルミニウム等からなる金属箔などを用いた封止シートを設けることによって錠剤が錠剤収容部に密封されている。さらに錠剤シート５１は、シート部上に凸状の錠剤収容部が幅方向に間隔をおいて２列に並んだ形態である。各列をなす複数の錠剤収容部は錠剤シート５１の長さ方向に沿って並んでいる。
【００２５】
なお、錠剤シート５１としては、シート部上に錠剤収容部が２列に並んだ形態のものに限らず、錠剤収容部が錠剤シート５１の長さ方向に１列に並んだ形態や、錠剤収容部が幅方向に間隔をおいて３列以上の複数列に並んだ形態も可能である。
ここで、錠剤取出ユニットは、本発明の錠剤取出し手段の適用例であり、錠剤シートの錠剤収容部から錠剤を取り出す動作を行う。
【００２６】
ここで、図３を用いて、錠剤取出ユニット１の内部構造について説明する。図３は、錠剤取出ユニット１の内部構造（断面）を示す図であり、錠剤取出ユニット１を右側面から見た図である。具体的には投入口２０３にセットされた錠剤シートを、錠剤の除包位置（錠剤の取出位置）まで搬送を行った際の図である。
【００２７】
錠剤取出ユニット１は、錠剤シートが載置される載置台１８を備えている。３９は、下部ローラである。下部ローラ３９は、進行方向に沿って互いに間隔をおいて複数設けられている。
【００２８】
また、下部ローラ３９は、駆動源（不図示）により回転駆動可能であり、錠剤シート部の重力方向に関して下面側に当接して錠剤シート５１に進行方法への力を加えることができる。
【００２９】
２４は、導入シュートである。導入シュート２４は、載置台の下面側に設けられており、錠剤シート５１から取り出された錠剤を、後述する錠剤導入路６０１に導くものである。すなわち、導入シュート２４は、載置台の下面側に排出口を有しており、錠剤シート５１から取り出された錠剤はその排出口を通り、後述する錠剤導入路６０１に落ちていく。なお、この導入シュート２４は、錠剤取出ホッパーとも言う。
【００３０】
錠剤取出ユニット１は、載置台１８上に錠剤シート５１を搭載した状態で、押出し機構で錠剤を押し出すことで錠剤の取出動作を行う。また、錠剤取出ユニット１は、載置台１８上の錠剤シート５１の錠剤収容部を押圧する速度を変更させる変更機構をさらに有している。
【００３１】
そして錠剤取出ユニットの所定の動作で錠剤が取り出せなかった場合には、押出し機構の押出し速度を通常の速度より高速に変更して錠剤収容部の押圧を行い、取出動作の継続（リトライ）を行う。またリトライの際には、錠剤収容部の押圧を再度行う前に１度目の載置台１８上の押圧位置から所定の距離だけ搬送手段で錠剤シート５１を搬送させ、この状態で押出し機構を用いて錠剤収容部を押圧する。このような状態でリトライ動作を行うことにより、１度の取出動作で錠剤が取り出されなかったとしても、確実に錠剤を取り出すことができる。
【００３２】
次に、押出し機構の詳細について説明する。押出し機構は、錠剤収容部の中央付近を押圧する内側押圧体８３と、内側押圧体８３を取り囲むように設けられ、中央付近よりも外側の部分を押圧する外側押圧体８４とを含んで設けられている。この内側押圧体８３と外側押圧体８４とが独立して動作することでＰＴＰシートの錠剤収容部を押圧し、ＰＴＰシートから錠剤を取り出す。具体的には押出し機構は、内側押圧体８３よりも先に外側押圧体８４により錠剤収容部を押圧する。
【００３３】
内側押圧体８３の先端は、錠剤取出ユニットに搭載されることが想定されるほとんどの錠剤シート５１の錠剤収容部よりも面積が狭くなるように設けられている。そのため、内側押圧体８３を錠剤を取り出すために下降させると、錠剤シートの錠剤収容部の面よりも重力方向に関して下側に至るまで先端が到達し、錠剤シート５１の金属箔に開いた穴から先端が下側に突き出ることになる。
【００３４】
一方、外側押圧体８４の先端は、錠剤取出ユニットに搭載されることが想定されるほとんどの錠剤シート５１の錠剤収容部よりも面積が広いので、錠剤を取り出すために下降させても、錠剤シート５１の金属箔に開いた穴から先端が突き出ることはない。すなわち、外側押圧体８４を用いて最初に錠剤シート５１の錠剤収容部を押し潰し、その後内側押圧体８３で錠剤を確実に押し出すというように用いられる。
【００３５】
また、押出し機構は、外側押圧体８４を昇降させる第１昇降機構と、内側押圧体８３を昇降させる第２昇降機構も有しており、これらを動作させることにより、押圧体で錠剤を押し出すことができる。
【００３６】
第１昇降機構は、外側押圧体８４が取り付けられた第１昇降体９３と、回転駆動して第１昇降体９３を昇降させるカム９４と、第１昇降体９３を上昇方向に付勢する付勢部材（ばね）とを備えている。
【００３７】
第１昇降体９３は、前後方向にわたって延在する柱状体であり、前端部に外側押圧体８４が取り付けられている。カム９４は、外側押圧体８４の昇降動作を考慮して設計された形状の板状体であり、駆動機構によって回転駆動する軸部に固定されている。
【００３８】
カム９４は、第１昇降体９３の上面側に設けられ、軸部の回転に伴って回転駆動し、第１昇降体９３を押圧することによって高さ位置を調整し、これによって外側押圧体８４の高さ位置を調整する（外側押圧体８４の昇降動作を行う）ことができる。第１昇降機構は、カムの回転動作のタイミング、カムの形状、軸部に対するカムの固定位置などの設定によって、外側押圧体８４の昇降動作のタイミングや変位量を任意に設定できる。
【００３９】
第２昇降機構は、内側押圧体８３が取り付けられた第２昇降体９８と、回転駆動して第２昇降体９８を昇降させるカム９９と、第２昇降体９８を上昇方向に付勢する付勢部材（ばね）とを備えている。
【００４０】
第２昇降体９８は、前後方向にわたって延在する柱状体であり、前端部に内側押圧体８３が取り付けられている。カム９９は、第２昇降体９８の上面側に設けられ、軸部の回転に伴って回転駆動し、第２昇降体９８を押圧して高さ位置を調整し、これによって内側押圧体８３の高さ位置を調整する（内側押圧体８３の昇降動作を行う）ことができる。第２昇降機構は、カム９９の回転動作のタイミング、カムの形状、軸部に対するカムの固定位置などの設定によって、内側押圧体８３の昇降動作のタイミングや変位量を任意に設定できる。
【００４１】
このため、カム９４とカム９９は、それぞれ第１昇降体と第２昇降体に対して互いに独立に動作可能であり、内側押圧体８３と外側押圧体８４は、互いに独立に昇降動作させることができる。
【００４２】
押出し機構における２つのカムの回転動作のタイミング等は、錠剤位置検出機構の検出部からの信号に基づいて定めることができる。具体的には、検出された錠剤収容部の位置に合わせて内側押圧体８３と外側押圧体８４を動作させることができる。
【００４３】
錠剤取出ユニット１は、ＰＴＰシートの錠剤収容部の押圧をする前に、押圧される錠剤収容部の長さや押圧される錠剤収容部の位置を検知することができる検出機構１７をさらに有している。そして錠剤供給装置は、検出した錠剤収容部の長さや錠剤収容部の位置に応じて押圧に最適な搬送方向に関する位置を算出し、当該位置とするために必要な搬送距離を算出することもできる。つまり搬送機構１６（下部ローラ３９、上部ローラ）は、搬送距離により載置台１８上の錠剤収容部が押圧するために必要な最適位置に錠剤シートを搬送することができる。
【００４４】
図４は、錠剤供給装置１０の内部構造を示す図である。
【００４５】
４０１は、第１集積ホッパーである。第１集積ホッパー４０１は、錠剤取出ユニット１により、ＰＴＰシートから取り出された錠剤が導入シュート２４を落下して通り、そして、導入シュート２４から後述する錠剤導入路６０１を通り、該錠剤が集積される部である。すなわち、錠剤導入路６０１は、第１集積ホッパー４０１と直接、導通している。
【００４６】
４０２は、第２集積ホッパーである。第２集積ホッパー４０２は、第１集積ホッパー４０１で集積された錠剤をさらに集積する。すなわち、第２集積ホッパー４０２は、第１集積ホッパー４０１と導通している。そのため、第１集積ホッパー４０１に落ちてきた錠剤５０は、第２集積ホッパー４０２に落ちて集積される。
【００４７】
４０４は、第１の送り出し機構である。第１の送り出し機構４０４は、第２集積ホッパーに集積された錠剤５０を第３の集積ホッパーに移動させる。４０３は、第３集積ホッパーである。第３集積ホッパー４０３は、第１の送り出し機構４０４により送り出（移動）された錠剤を集積する。４０５は、第２の送り出し機構である。第２の送り出し機構４０５は、第３集積ホッパーに集積された錠剤をメインホッパー４０６に移動させる。
【００４８】
４０６は、メインホッパーである。メインホッパー４０６は、第２の送り出し機構４０５により送り出（移動）された錠剤（１回分）を集積し、包装シート（分包紙）の中に集積した錠剤を投入する。
【００４９】
次に、図５を用いて、包装ユニット５０１の内部構造について説明する。
図５は、包装ユニット５０１の内部構造を示す図である。
【００５０】
包装ユニット５０１は、包装装置５内のユニットである。５０２は、包装シートが連なるロール紙（分包紙がロール状になっている紙）を包装機構に送り出すロール紙送出機構である。５０３は、メインホッパー４０６内に集積された錠剤（１回分の錠剤）が包装シートの中に投入され、当該包装シートを加熱し溶着することにより、包装シートの中に投入された錠剤を、包装シートの中に封入する（包装機構）。そして５０４では、メインホッパー４０６内に集積された錠剤が包装シートの中に投入され、当該包装シートを加熱し溶着することにより、包装シートの中に投入された錠剤を、包装シートの中に封入する（包装機構）。すなわち、包装機構５０３と、包装機構５０４とで、包装シートを加熱し溶着することにより、包装シートの中に投入された錠剤を、包装シートの中に封入する。
【００５１】
５０５は、連なるロール紙を１包毎の包装シートに分断するための分断用ミシン目を包装シートに形成する分断機構である。５０６はプリンタであり、包装シートに、日付、患者データ、エラー情報を印字することができる（印字機構）。
【００５２】
このような図５に示す包装ユニットにより、投薬１回分の錠剤または散薬を包装シートに分包することができる。なお包装シートとしては、表面に熱溶着可能な樹脂材をコーティングした紙のみならず、中身を視認することができる透明なフィルム材を用いることもできる。
【００５３】
次に、図６を用いて、錠剤供給装置１０が備える各構成について説明する。
【００５４】
図６は、錠剤供給装置１０の内部を横（正面から見て右側）から見た図である。図６に示す点線の矢印は、錠剤取出ユニット１から取り出された錠剤の移動経路を示している。
【００５５】
６０１は、錠剤導入路である。錠剤導入路６０１は、導入シュート２４と導通しており、錠剤シートから取り出され落下した錠剤を導入シュート２４から第１集積ホッパーに中継する。
６０２は、排出路である。除包後の錠剤シートは、排出路６０２を通って、排出路６０２と導通している排出ポケットに集積される。
【００５６】
６０３は、排出ポケット（廃棄ボックス）であり、錠剤取り出し装置から排出された錠剤シートが排出路６０２を通って集合する部分である。装置前面で開口しており、排出された錠剤シートを容易に取り出すことができる。
以上で、図６の説明を終了する。
【００５７】
次に、図７のブロック図を用いて、錠剤供給システムのハードウェア構成の一例について説明する。
【００５８】
図７は、本発明の実施形態における錠剤供給システムのハードウェア構成の一例を示す図である。
【００５９】
ここでは、情報処理装置３００のＣＰＵ３０と、包装装置５のＣＰＵ５１と、錠剤供給装置１０のＣＰＵ１１とがそれぞれ連携して、包装装置５が制御する各装置（各ユニット）、及び、錠剤供給装置１０が制御する各装置（各ユニット）の各種動作を制御している一例を示している。しかし１つのＣＰＵが、錠剤供給システムの全ての各装置を制御する構成でも構わない。また、ここでは錠剤供給装置１０にＣＰＵが１つ設けられている状態を図示しているが、錠剤取出ユニット１ごとにＣＰＵを設けてもよいし、錠剤取出ユニット１の段ごとにＣＰＵを設けてもよい。
【００６０】
まず情報処理装置３００のハードウェア構成について説明する。情報処理装置３００のＣＰＵ３０は、システムバスに接続される各デバイスやコントローラを統括的に制御することができる。また、ＲＯＭ３１あるいは外部メモリ３６には、ＣＰＵ３０の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３は、ＣＰＵ３０の主メモリ、ワークエリア等として機能する。ＣＰＵ３０は、処理の実行に際して必要なプログラム等をＲＡＭ３３にロードして、プログラムを実行することで各種動作を実現するものである。
【００６１】
また、ＣＰＵ３０は、キーボードや不図示のマウス等の入力端末２０９からの入力を制御する。ビデオコントローラ（ＶＣ）２０６は、ディスプレイ１０１等の表示器への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュ（登録商標）メモリ等の外部メモリ２１１へのアクセスを制御することもできる。
またＩ／Ｆ３２は、ネットワークを介して外部機器と接続・通信するものであり、本実施形態においては包装装置５のＩ／Ｆ５０と通信可能に接続されている。
【００６２】
次に、包装装置５のハードウェア構成について説明する。包装装置５のＣＰＵ５１は、バスに接続されている各デバイスを統括的に制御することができる。ＲＯＭ５２にはＣＰＵ５１の制御ブログラムや各種制御プログラムが記憶されている。ＲＡＭ５３は、ＣＰＵ５１が動作するためのシステムワークメモリとして機能する。ＣＰＵ５１は、タッチパネル式のディスプレイ１０１に対して表示制御したり、ディスプレイ１０１のタッチパネル機能を入力端末５０２としてユーザから情報の入力を受け付けたり、プリンタ７０６に印刷指示を出したりすることもできる。さらにＣＰＵ５１は、包装装置５の散薬投入部１０３から投入された散薬を１包に包装する際に動作させる散薬分包機構５５を制御したり、ユーザから手撒き投入部１０２に手撒きされた錠剤を包装する際に動作させる手撒き投入機構５６を制御したりすることができる。そして包装装置５と錠剤供給装置１０とは、包装装置５のＩ／Ｏ５４と錠剤供給装置１０のＩ／Ｏ１２とで通信可能に接続されている。
【００６３】
次に、錠剤供給装置１０のハードウェア構成について説明する。錠剤供給装置１０のＣＰＵ１１は、バスに接続されている各デバイスを統括的に制御することができる。ＲＯＭ１４にはＣＰＵ１１の制御ブログラムや各種制御プログラムが記憶されている。ＲＡＭ１３は、ＣＰＵ１１が動作するためのシステムワークメモリとして機能する。ＣＰＵ１１は、さらに錠剤取出機構１５（図３の内側押圧体８３や外側押圧体８４に対応）における取出動作を制御したり、錠剤シートを搬送する搬送機構１５（図３の搬送機構１６に対応）を制御したりすることもできる。
【００６４】
このようなハードウェア構成においては、以下のように錠剤取出を行うように制御することができる。まず包装装置５のＣＰＵ５１が、錠剤供給装置１０のＣＰＵ１１に対して、錠剤の取出動作命令を送信する。そして、錠剤供給装置１０のＣＰＵ１１が、当該取出動作命令に従って、錠剤取出機構１５や搬送機構１６を制御して錠剤取出動作を行わせることができる。また、錠剤供給装置１０のＣＰＵ１１は、包装装置５のＣＰＵ５０に対して、錠剤取出動作の状況を示す動作情報を送信することもできる。
【００６５】
次に、本発明の実施形態における処方データに従って包装イメージを表示する処理について、図８以降の図面を用いて説明する。
【００６６】
従来、包装装置で薬剤が分包された分包物をユーザが目視で監査する際、まず処方箋を見て、包装袋に含まれる薬剤の数量や内容（散薬・錠剤）を確認し、それら薬剤がどのように分包されているかを頭の中でイメージしながら包装袋を監査しなければならず直感的に分かり辛かった。
【００６７】
そのような課題を解決すべく、特許文献１に記載の監査装置を用いて包装袋を監査することが想定されるが、監査装置を別途購入するのは、包装装置を利用する薬局等にとっては大きな負担となる可能性があった。
【００６８】
そこで、本実施例では、処方データに従って包装装置により薬剤を包装袋に包装したときの各薬剤の包装イメージを、予め管理する各薬剤の画像を用いて出力することにより、ユーザが直感的に分包内容を把握することができ、ユーザが簡単に監査を行うことができるようにする。
【００６９】
また、本実施例では、処方データに従って錠剤を包装袋に包装したときの各錠剤の包装イメージを、各錠剤の画像を用いて出力するときに、包装袋に包装する錠剤の種類、または錠剤の量が所定以上である場合に、当該包装袋に包装する同じ種類の複数の錠剤について、当該錠剤の画像をひとつだけ出力することで、ユーザによる監査を効率的に行うことを可能とする。
【００７０】
まず、図８について説明する。図８は、本発明の実施形態における、ユーザからの処方内容の入力受付から、薬剤の包装までの一連の流れを示すフローチャートである。
【００７１】
図８の各ステップに示す処理は、情報処理装置３００のメモリに記憶されたプログラムを情報処理装置３００のＣＰＵ３０が実行し、包装装置５のメモリに記憶されたプログラムを包装装置５のＣＰＵ５１が実行することにより実現される。
【００７２】
ステップＳ８０１において、情報処理装置３００は、図９の画面を情報処理装置３００のディスプレイ３４に表示し、ユーザから処方データの入力を受け付ける。なお、本実施例では、ユーザから処方データの入力を受け付けるとしたが、他の実施例として、処方データを管理する他のシステムから処方データを情報処理装置３００が自動で取得するとしても良い。
【００７３】
ステップＳ８０１は、本発明における、包装装置で包装する処方データの入力を受け付ける入力受付手段の一例である。
【００７４】
ここで、図９を用いて、ステップＳ８０１で情報処理装置３００のディスプレイ３４に表示される処方データの入力をユーザから受け付ける処方データ入力画面について説明する。
【００７５】
図９は、ステップＳ８０１において情報処理装置３００のディスプレイ３４に表示される処方データの入力をユーザから受け付ける処方データ入力画面である。
【００７６】
９０１は、分包数を示し、ユーザから包装数９０１への入力を受け付けると、包装数９０１に入力された情報に従って算出される全包装数が、情報処理装置３００の外部メモリ３６で管理する図２１の処方データリストの全包装数２１０４に記憶される。
【００７７】
例えば、図９の「△△錠」の場合、朝が４包、夜が４包であるため、「８」という数字が全包装数２１０４に記憶される。
【００７８】
９０２は、薬品名を示し、薬品名９０２は、ユーザが手入力で入力するとしても良いし、図１４に示す薬品マスタを情報処理装置３００の外部メモリ３６に予め記憶しておき、薬品名の欄の選択をユーザから受け付けると、薬品マスタを情報処理装置３００のディスプレイ３４に表示し、薬品マスタから分包する薬剤の選択を受け付けても良い。
【００７９】
なお、本実施例における薬品は、薬剤と同義である。
【００８０】
薬品名９０２に入力された情報は、図２１の処方データリストの薬品名２１０６に記憶される。
【００８１】
９０３は、服用パターン（左から朝、昼、夜）を示し、例えば、図９の「△△錠」の場合、朝と夜に１錠ずつ服用することを示す。服用パターン９０３は、ユーザが手入力する。
【００８２】
服用パターン９０３に入力された情報は、図２１の処方データリストの服用パターン２１０３に記憶される。
【００８３】
９０４は、薬剤の種別を示し、種別９０４は、ユーザが手入力で入力するとしても良いし、図１４に示す薬品マスタの１４０３のうち、薬品名９０２に入力された薬品と薬品名１４０２が同じ薬品の種別１４０３を自動で入力するとしても良い。種別９０４の情報は、図２１の処方データリストの種別２１０７に記憶される。
【００８４】
９０５は、予約ボタンであり、予約ボタン９０５がユーザにより押下されると、包装装置５による分包動作をすぐに行うことなく、９０１〜９０４に入力された情報を、図２１の処方データのリストに記憶して、次の処方データの入力をユーザから受け付ける。
【００８５】
９０６は、ストップボタンであり、すでに包装装置５による分包動作が開始されている場合に、分包動作を止めるためのボタンである。
【００８６】
９０７は、スタートボタンであり、スタートボタン９０７がユーザにより押下されると、現在入力されている処方データ（９０１〜９０４の情報）を包装装置５へ送信する。
【００８７】
なお、処方データ入力画面９００において、種別９０４が錠剤、またはカプセルである薬剤が入力された場合には、処方データ入力画面９００とは異なる画面において、どの錠剤取出しユニット１でＰＴＰシートから錠剤を取り出すかの選択をユーザから受け付ける。
【００８８】
以上で図９の説明を終了する。
【００８９】
ここで、図９の処方データ入力画面９００で入力された情報を管理する、図２１の処方データリストについて説明する。
【００９０】
図２１は、情報処理装置３００の外部メモリ３６で管理する処方データリストであり、情報処理装置３００は、図９の画面を介して処方データがユーザにより入力されると、当該処方データリストに記憶する。
【００９１】
２１０１は、包装装置５により包装する順番を示す。ユニットＮｏ．２１０２は、錠剤やカプセルをＰＴＰシートから取り出す錠剤取出しユニットのＮｏを記憶する。服用パターン９０３２１０３は、服用パターン９０３に入力された服用パターンを記憶する。
【００９２】
全包装数２１０４には、包装数９０１に入力された数を記憶する。全薬剤数２１０５は、包装数９０１と服用パターン９０３とによって算出される薬品名９０２の薬品が包装される総数が記憶される。
【００９３】
薬品名２１０６には、薬品名９０２に入力された情報が記憶される。種別２１０７には、種別９０４の情報が記憶される。以上で図２１の説明を終了する。
【００９４】
ここで、情報処理装置３００の外部メモリ３６で管理する図１４の薬品マスタについて説明する。
【００９５】
図１４は、情報処理装置３００の外部メモリ３６で管理する薬品マスタである。１４０１は薬品を識別するための薬品Ｎｏ．を示し、薬品名１４０２は薬品名を示し、種別１４０３は薬品の種別を示し、形状１４０５は、薬剤の形状を示す。
【００９６】
画像ＩＤ１４０４は、情報処理装置３００の外部メモリ３６で管理する各薬剤の画像のＩＤを示す。情報処理装置３００は、外部メモリ３６に各薬剤の画像（実際の薬剤を撮影した画像、もしくは薬剤を特定可能なレベルのイメージ図）を管理している（本発明における、各錠剤の画像を管理する管理手段）。
以上で、図１４の説明を終了する。図８の説明に戻る。
【００９７】
ステップＳ８０２において、情報処理装置３００は、図９のスタートボタン９０７がユーザにより押下されることによって、包装装置５による分包の開始時指示を受け付ける。
【００９８】
ステップＳ８０３において、情報処理装置３００は、ステップＳ８０１でユーザにより入力された処方データに従って包装装置５により薬剤を分包紙に包装したときの各薬剤の包装イメージを、情報処理装置３００の外部メモリ３６で管理する各薬剤の画像を用いて、情報処理装置３００のディスプレイ３４に出力する処理を行う。ステップＳ８０３の処理の詳細は、図１０を用いて後ほど説明する。
【００９９】
なお、本実施例では、ステップＳ８０３の処理を包装装置５により薬剤を分包紙に包装する前に実行するとしたが、他の実施例として、ステップＳ８０７の分包動作が完了した後に実行しても良い。
【０１００】
また、本実施例では、情報処理装置３００のディスプレイ３４に包装イメージを出力するとしたが、他の実施例として、包装装置５のディスプレイ１０１に出力しても良いし、情報処理装置３００に接続するプリンタから出力しても良いし（図１７は情報処理装置３００に接続するプリンタから包装イメージを出力した図である）、包装装置５のプリンタ５０６により、分包紙に印字しても良い。包装装置５のプリンタ５０６により、分包紙に印字する場合には、ステップＳ８０３の処理は、包装装置５により薬剤の包装が開始されてから実行されることになる。
【０１０１】
ステップＳ８０４において、情報処理装置３００は、包装装置５に対して、ステップＳ８０１でユーザにより入力を受け付けた処方データ（図２１の処方データリストのうち順番が２１０１の数字が最も小さいもの）に従って分包動作を行うように指示する。
【０１０２】
ステップＳ８０５において、包装装置５は、図２１の処方データリストに従って、薬剤を分包紙に包装する。このとき、処方データに錠剤やカプセルが含まれる場合には、錠剤供給装置１０により、ＰＴＰシートから薬剤を取り出す処理も行う。
【０１０３】
ステップＳ８０６において、包装装置５は、図２１の処方データリスト分の分包が終了したかを判定する。
【０１０４】
図２１の処方データリスト分の分包が終了した場合には、ステップＳ８０７において、包装装置５は、情報処理装置３００に対して分包が完了した旨の通知を行う。
【０１０５】
ステップＳ８０８において、情報処理装置３００は、図２１の処方データリストの中に、包装装置５によりまだ分包されていない処方データがあるか否かを判定する。
【０１０６】
図２１の処方データリストの中に、包装装置５によりまだ分包されていない処方データがあれば、ステップＳ８０３に処理を戻し、図２１の処方データリストの中に、包装装置５によりまだ分包されていない処方データがなければ図８の処理を終了する。
【０１０７】
なお、本実施例で情報処理装置３００が実行した処理を、他の実施例として包装装置５が実行するとしても良い。
【０１０８】
その場合、図９の処方データ入力画面は、包装装置５のディスプレイ１０１に表示され、図２１の処方データリスト、図１４の薬品マスタは包装装置５のＲＯＭ５２に記憶される。
以上で、図８の説明を終了する。
【０１０９】
次に図１０を用いて、図８のステップＳ８０３の処理の詳細について説明する。
【０１１０】
ステップＳ１００１において、情報処理装置３００は、処方データに従って分包紙１包に包装する薬剤（具体的には、錠剤とカプセル）の種類、または、薬剤の量が所定以上であるか否かを判定する。
【０１１１】
処方データに従って分包紙１包に包装する薬剤（具体的には、錠剤とカプセル）の種類、または、薬剤の量が所定以上であればステップＳ１００２に処理を移行し、処方データに従って分包紙１包に包装する薬剤の種類、または、薬剤の量が所定未満であればステップＳ１００３に処理を移行する。
【０１１２】
具体的には、例えば、分包紙１包に３種類の薬剤が含まれている場合や、分包紙１包に同じ薬剤が４つ包装される場合に、ステップＳ１００２に処理を移行するというように予め設定されている分包紙１包に包装する薬剤の種類、または、薬剤の量以上か否かによって、情報処理装置３００は、ステップＳ１００２に移行するかを判定する。
【０１１３】
ステップＳ１００２において、情報処理装置３００は、薬剤を包装したときの包装イメージを、後述する通常の包装イメージ（図１１）とは異なる包装イメージにする（後述する図１２）。
【０１１４】
ステップＳ１００３において、情報処理装置３００は、処方データが識別情報を付加すべき処方データか否かを判定する。処方データが識別情報を付加すべき処方データであれば、ステップＳ１００４に処理を移行し、処方データが識別情報を付加すべき処方データでなければステップＳ１００５に処理を移行する。
【０１１５】
ここでいう「識別情報を付加すべき処方データ」とは、ユーザが注意深く監査すべき薬剤が含まれる処方データであって、例えば、図１４の形状１４０５が平面である錠剤が含まれる場合や（他の錠剤と重なっていて、監査時に重なっていることにユーザが気付かない恐れがあるため錠剤を識別表示する）、静電気が帯電しやすい錠剤が含まれる場合や（帯電した錠剤が錠剤供給装置１０内に張り付いていて正しく包装紙に分包されていない恐れがあるため錠剤を識別表示する）、割れやすい錠剤が含まれる場合や、錠剤やカプセルと散薬が一緒に分包される場合（散薬で錠剤やカプセルが埋もれてしまい、錠剤が正しく包装されているにも関わらず正しく分包されていないとユーザが勘違いする恐れがあるため錠剤を識別表示する）等である。
【０１１６】
ステップＳ１００４において、情報処理装置３００は、包装イメージに識別情報を付加する（後述する図１６）。
【０１１７】
ステップＳ１００５において、情報処理装置３００は、包装イメージを情報処理装置３００のディスプレイ３４に表示し、図１０の処理を終了する。
【０１１８】
ステップＳ１００５は、本発明における、入力受付手段で入力を受け付けた処方データに従って前記包装手段により錠剤を包装袋に包装したときの各錠剤の包装イメージを、前記管理手段で管理する各錠剤の画像を用いて出力するように制御する出力制御手段の一例である。以上で、図１０の説明を終了する。
【０１１９】
では、ここで図１０のステップＳ１００５で情報処理装置３００のディスプレイ３４に表示される包装イメージについて説明する。
【０１２０】
図１１〜図１３、図１５、図１６、図１９は、図１０のステップＳ１００５で情報処理装置３００のディスプレイ３４に表示される包装イメージの具体例である。
【０１２１】
まず、図１１について説明する。図１１は、ステップＳ１００１、ステップＳ１００３でいずれもＮｏとなった場合に、情報処理装置３００のディスプレイ３４に表示される包装イメージである。
【０１２２】
図１１の１１０１は、錠剤を示し、１１０２は、カプセルを示し、１１０３は散薬を示す。実際には、１１０１〜１１０３には情報処理装置３００の外部メモリ３６で管理する各薬剤の画像（実際の薬剤を撮影した画像、もしくは薬剤を特定可能なレベルのイメージ図）が表示される。
【０１２３】
また、図１１において包装イメージは、服用タイミング（朝食後・昼食後・夜食後）ごとにそれぞれ表示される。そして、各包装イメージの下には、その包に含まれる薬剤の名前と量が表示される。また、図１１の上部には、その処方データの対象となる患者名や、包装数等が表示される。
【０１２４】
図１３は、図１１の変形例であり、全ての服用タイミングで、同じ処方内容である場合に、１つにまとめて包装イメージを表示している。
【０１２５】
図１３のような包装イメージを表示する場合、情報処理装置３００は、図１０に示す処理を実行する前に、図２０に示す包装イメージのまとめ処理を実行する。
【０１２６】
具体的には、図２０のステップＳ２００１において、情報処理装置３００は、処方データについて、全ての服用タイミングで同じ処方内容であるか否かを判定し、全ての服用タイミングで同じ処方内容である場合に、ステップＳ２００２において、情報処理装置３００は、図１３のように１つにまとめて包装イメージを表示するように制御する。
【０１２７】
図１５は、図１１の変形例であり、図１５の場合には、包装イメージで表示している錠剤アイコン（イメージ図）内に、実際の薬剤の刻印１５０１（識別コード）を表示させる。
【０１２８】
これにより、１包内に複数種類の錠剤が入っており、さらに色も形も同じ錠剤の場合、刻印を確認することによりユーザが薬剤名を特定することができる。
【０１２９】
図１９は、図１１の変形例であり、図１９では、１つの服用タイミングの包装イメージだけを表示し１９０１のボタンがユーザにより押下されることで、次の服用タイミングの包装イメージを表示する。
【０１３０】
これにより、図１１に比べて包装イメージを情報処理装置３００のディスプレイ３４に大きく表示できるため、ユーザが監査を行いやすくなる。
【０１３１】
図１２は、図１０のステップＳ１００１で、情報処理装置３００がＹＥＳと判定した場合に、ステップＳ１００５で情報処理装置３００のディスプレイ３４に表示される包装イメージである。
【０１３２】
図１２の１２０１に示すとおり、処方データに従って分包紙１包に包装する薬剤（具体的には、錠剤とカプセル）の種類、または、薬剤の量が所定以上である場合に、同じ種類の複数の錠剤やカプセルについて、錠剤やカプセルの画像をひとつだけ出力するようにし、かつ画像の中に、ひとつにまとめた錠剤やカプセルの数を出力している。
【０１３３】
また、１２０２に示すとおり、包装袋に包装する錠剤やカプセルの種類、または錠剤やカプセルの量が所定未満である場合に、当該包装袋に包装する同じ種類の複数の錠剤やカプセルについて、当該錠剤やカプセルの画像をそれぞれ出力している。
【０１３４】
図１２のように、処方データに従って分包紙１包に包装する薬剤（具体的には、錠剤とカプセル）の種類、または、薬剤の量が所定以上である場合に、同じ種類の複数の錠剤やカプセルについて、錠剤やカプセルの画像をひとつだけ出力することにより、錠剤やカプセルの包装イメージがたくさん表示されて、監査者が監査し辛くなる可能性を低減することが可能となる。
【０１３５】
なお、他の実施例として、処方データに従って分包紙１包に包装する薬剤（具体的には、錠剤とカプセル）の種類、または、薬剤の量が所定以上である場合に、各薬剤の包装イメージを小さく表示するとしても良い。
【０１３６】
図１６は、図１０のステップＳ１００３で、情報処理装置３００がＹＥＳと判定した場合に、ステップＳ１００５で情報処理装置３００のディスプレイ３４に表示される包装イメージである。
【０１３７】
図１６の１６０１に示すように、先述したような識別情報を付加すべき処方データである場合に、識別情報を付加した包装イメージを表示している。
【０１３８】
図１６の場合、錠剤と散薬が一緒に分包される場合に、散薬で錠剤が埋もれてしまい、錠剤が正しく包装されているにも関わらず、正しく分包されていないとユーザが勘違いする恐れがあるため、錠剤の包装イメージを１６０１に示すとおりに識別表示することで、ユーザに対して注意深く監査するように促すことが可能となる。
【０１３９】
次に、図１８を用いて、本発明の実施形態における、ユーザからの処方内容の入力受付から、薬剤の包装までの一連の流れを示すフローチャートの他の実施例について説明する。
【０１４０】
図１８の各ステップに示す処理は、情報処理装置３００のメモリに記憶されたプログラムを情報処理装置３００のＣＰＵ３０が実行し、包装装置５のメモリに記憶されたプログラムを包装装置５のＣＰＵ５１が実行することにより実現される。
【０１４１】
図１８は、図８と異なり、図１９のように、服用タイミングごとに包装イメージを情報処理装置３００のディスプレイ３４に表示し、その服用タイミングの分包が終わると、自動で次の服用タイミングの包装イメージを表示する。
【０１４２】
ステップＳ１８０１において、情報処理装置３００は、図９の画面を情報処理装置３００のディスプレイ３４に表示し、ユーザから処方データの入力を受け付ける。
【０１４３】
また、このとき服用タイミングごとに包装するか、具体的には、包装装置５により朝食後の分の包装が全て終わったら、次に昼食後の分の分包を行い、昼食後の分の包装が全て終わったら、次に夜食後の分の包装を行うか、それとも、包装装置５により朝食後の１包の包装が終わったら、次に昼食後の分の１包の包装を行い、昼食後の１包の包装が終わったら、次に夜食後の分の１包の包装を行うかの指定を受け付ける。
【０１４４】
ステップＳ１８０２は、図８のステップＳ８０２と同じ処理であるため説明は省略する。
【０１４５】
ステップＳ１８０３において、情報処理装置３００は、ステップＳ１８０１で、服用タイミングごとに包装を行う指定をユーザから受け付けたか否かを判定する。ステップＳ１８０１で、服用タイミングごとに包装を行う指定をユーザから受け付けたならば、ステップＳ１８０４に進み、ステップＳ１８０１で、服用タイミングごとに包装を行う指定をユーザから受け付けなければ、図８のステップＳ８０３以降の処理を実行する。
【０１４６】
ステップＳ１８０４において、情報処理装置３００は、ステップＳ１８０５の包装イメージ表示処理を服用タイミングごとに行うように設定する。
【０１４７】
ステップＳ１８０５において、情報処理装置３００は、包装イメージ表示処理（先述した図１０の処理）を行う。
【０１４８】
ステップＳ１８０６は、図８のステップＳ８０４と同じ処理であるため説明は省略する。
【０１４９】
ステップＳ１８０７は、図８のステップＳ８０５と同じ処理であるため説明は省略する。
【０１５０】
ステップＳ１８０８において、包装装置５は、現在分包を行っている服用タイミングの処方データの分の包装を終えたことにより、次の服用タイミングの処方データの分の包装を行うか否かを判定する。
【０１５１】
包装装置５は、現在分包を行っている服用タイミングの処方データの分の包装を終えたことにより、次の服用タイミングの処方データの分の包装を行うのであれば、ステップＳ１８０５に処理を戻し、現在分包を行っている服用タイミングの処方データの分の包装を終えたことにより、次の服用タイミングの処方データの分の包装を行うのでなければ、ステップＳ１８０９に処理を移行する。
【０１５２】
ステップＳ１８０９は、図８のステップＳ８０６と同じ処理であるため説明は省略する。
【０１５３】
ステップＳ１８１０は、図８のステップＳ８０７と同じ処理であるため説明は省略する。
【０１５４】
ステップＳ１８１１は、図８のステップＳ８０８と同じ処理であるため説明は省略する。
【０１５５】
以上で、図１８の説明を終了する。
【０１５６】
以上で実施例の説明を終了する。
【０１５７】
以上、本発明によると、処方データに従って錠剤を包装袋に包装したときの各錠剤の包装イメージを、各錠剤の画像を用いて出力するときに、包装袋に包装する錠剤の種類、または錠剤の量が所定以上である場合に、当該包装袋に包装する同じ種類の複数の錠剤について、当該錠剤の画像をひとつだけ出力することで、ユーザによる監査を効率的に行うことが可能な仕組みを提供することができる。
【０１５８】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１５９】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１６０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１６１】
その場合、プログラムの機能を有していれば、オブジェクトコード、インタプリタにより実行されるプログラム、ＯＳに供給するスクリプトデータ等の形態であってもよい。
【０１６２】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１６３】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１６４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１６５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１６６】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１６７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１６８】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１６９】
５      包装装置
１０    錠剤供給装置
３００  情報処理装置
【図１】
2017064109.tif 000003
【図２】
2017064109.tif 000004
【図３】
2017064109.tif 000005
【図４】
2017064109.tif 000006
【図５】
2017064109.tif 000007
【図６】
2017064109.tif 000008
【図７】
2017064109.tif 000009
【図８】
2017064109.tif 000010
【図９】
2017064109.tif 000011
【図１０】
2017064109.tif 000012
【図１１】
2017064109.tif 000013
【図１２】
2017064109.tif 000014
【図１３】
2017064109.tif 000015
【図１４】
2017064109.tif 000016
【図１５】
2017064109.tif 000017
【図１６】
2017064109.tif 000018
【図１７】
2017064109.tif 000019
【図１８】
2017064109.tif 000020
【図１９】
2017064109.tif 000021
【図２０】
2017064109.tif 000022
【図２１】
2017064109.tif 000023